(57)【要約】【課題】  使用可能期間が長くなるフィルター構造体を提供する。【解決手段】  フィルター構造体１０は、排水枡８０の排水部８１の上方周縁の上面８２に掛止可能な掛止体１１と、掛止体１１に接続し、排水部８１を覆う形状を有し、その底面１３には、水平面に対して傾斜する傾斜部１４が全面に形成されている金網よりなるフィルター本体１２とからなる。フィルター構造体１０を排水枡８０に設置した状態において、排水と共に排水部８１に流れ込んできたゴミ１は、底面１３の下方側の部分に堆積する。すると、ゴミ１の堆積量が少量の場合においては、図の破線の矢印で示したような、フィルター本体１２の一部においての排水はできなくなるが、図の実線の矢印で示したような排水、特に底面１３の大部分においての排水は可能となる。すなわち、排水の通過面積が急に小さくならないため、フィルター構造体１０の使用可能期間が長くなる。【選択図】  図２
2014231685.tif 000002
【特許請求の範囲】
【請求項１】
コンクリート製の排水設備に設置され、前記排水設備の内部に対し、排水を可能とすると共にゴミの侵入を防ぐフィルター構造体であって、
前記排水設備の排水部の上方周縁の上面に掛止可能な掛止体と、
前記掛止体に接続し、前記排水部を覆う形状を有する金網よりなるフィルター本体とを備え、
前記フィルター本体の底面には水平面に対して傾斜する傾斜部が少なくとも一部に形成された、フィルター構造体。
【請求項２】
前記底面には、前記傾斜部が全面に形成される、請求項１記載のフィルター構造体。
【請求項３】
前記底面には、水平部と、
前記水平部から上方側に突出する、前記傾斜部としての隆起部とが形成される、請求項１記載のフィルター構造体。
【請求項４】
前記掛止体の対向部分に架け渡すように取り付けられた把手を更に有する、請求項１から請求項３のいずれかに記載のフィルター構造体。
【請求項５】
回動自在であって、特定回動位置にてその下方端部を前記上面に設置可能であり、前記掛止体と前記上面との間にスペースを設けることができるスタンドを更に有する、請求項１から請求項４のいずれかに記載のフィルター構造体。
【請求項６】
前記フィルター本体は、前記掛止体の間隔よりも長く、且つ、前記排水部を覆う帯形状に形成される、請求項１から請求項５のいずれかに記載のフィルター構造体。
【発明の詳細な説明】
【技術分野】
【０００１】
この発明はフィルター構造体に関し、特に排水設備に設置されるフィルター構造体に関するものである。
【背景技術】
【０００２】
コンクリート製の排水設備に設置され、排水設備の内部に対し、排水を可能とすると共にゴミの侵入を防ぐフィルター構造体として、例えば以下のようなフィルター構造体が存在している。
【０００３】
図１８はそのようなフィルター構造体の外観形状を示す斜視図である。
【０００４】
図を参照して、フィルター構造体７０は、鋼に亜鉛溶融メッキが施されたものを平面視矩形の枠形状に形成した掛止体７１と、鋼に亜鉛溶融メッキが施されたものより形成された金網を籠形状に形成したものよりなり、掛止体７１に接続するフィルター本体７２とからなる。
【０００５】
図１９は、図１８で示したフィルター構造体を排水枡に設置した状態を示した平面図であり、図２０は、図１９で示したＸＸ−ＸＸラインの断面図である。
【０００６】
これらの図を参照して、コンクリート製の排水設備の一種であって道路の脇に設置される排水枡８０は、平面視矩形の穴形状に形成されて排水が流入する排水部８１を中心に有し、平面視矩形の筒状に形成されている。
【０００７】
フィルター構造体７０は、フィルター本体７２を排水部８１に落とし込んだ状態で排水部８１の上方周縁の上面８２に掛止体７１を掛止することにより、排水枡８０に設置される。尚、上述したようにフィルター本体７２が金網よりなるため、フィルター構造体７０は排水枡８０への設置状態において、排水と共に排水部８１に流れ込んできたゴミ１を堰き止めつつ、排水枡８０の内部への排水の通過を可能とする。
【０００８】
排水部８１の上方周縁の上面８２の更に上方周縁には段部８３が形成され、段部８３の上方においては平面視矩形であって格子形状を有するグレーチング８５が、その一方端部８６の側を軸として回動自在に排水枡８０に取り付けられる。尚、グレーチング８５は、排水枡８０の通常の使用時には排水部８１及び設置したフィルター構造体７０の上方を覆って段部８３に載置されるようにして閉じられる。一方、フィルター構造体７０を取り出したり、フィルター本体７２に堆積したゴミ１を取り出したりする場合には図１９及び図２０に示したように開かれる。
【発明の概要】
【発明が解決しようとする課題】
【０００９】
上記のような従来のフィルター構造体７０では、ゴミ１がフィルター本体７２の底面７３の上面の全面に広がるように堆積するため、堆積したゴミ１の量が少量であってもフィルター本体７２の底面７３の全面が目詰まりを起こしてしまう。尚、底面７３の全面が目詰まりを起こした状態では図２０の実線の矢印で示したような排水は可能となるが、図２０の破線の矢印で示したような排水はできなくなる。
【００１０】
すると、堆積したゴミ１の量は少量であるにも関わらず、排水の通過面積が急に小さくなるため、フィルター構造体７０は実質的な使用可能期間が短いものとなっていた。
【００１１】
この発明は、上記のような課題を解決するためになされたもので、使用可能期間が長くなるフィルター構造体を提供することを目的とする。
【課題を解決するための手段】
【００１２】
上記の目的を達成するために、請求項１記載の発明は、コンクリート製の排水設備に設置され、排水設備の内部に対し、排水を可能とすると共にゴミの侵入を防ぐフィルター構造体であって、排水設備の排水部の上方周縁の上面に掛止可能な掛止体と、掛止体に接続し、排水部を覆う形状を有する金網よりなるフィルター本体とを備え、フィルター本体の底面には水平面に対して傾斜する傾斜部が少なくとも一部に形成されたものである。
【００１３】
このように構成すると、排水の通過面積が急に小さくならない。
【００１４】
請求項２記載の発明は、請求項１記載の発明の構成において、底面には、傾斜部が全面に形成されるものである。
【００１５】
このように構成すると、排水の通過面積がより急に小さくならない。
【００１６】
請求項３記載の発明は、請求項１記載の発明の構成において、底面には、水平部と、水平部から上方側に突出する、傾斜部としての隆起部とが形成されるものである。
【００１７】
このように構成すると、地面等への載置時に水平部が載置面となる。
【００１８】
請求項４記載の発明は、請求項１から請求項３のいずれかに記載の発明の構成において、掛止体の対向部分に架け渡すように取り付けられた把手を更に有するものである。
【００１９】
このように構成すると、把持に適した部分が生じる。
【００２０】
請求項５記載の発明は、請求項１から請求項４のいずれかに記載の発明の構成において、回動自在であって、特定回動位置にてその下方端部を上面に設置可能であり、掛止体と上面との間にスペースを設けることができるスタンドを更に有するものである。
【００２１】
このように構成すると、排水設備に設置したフィルター構造体の一部を持ち上げて、フィルター構造体を保持することが可能となる。
【００２２】
請求項６記載の発明は、請求項１から請求項５のいずれかに記載の発明の構成において、フィルター本体は、掛止体の間隔よりも長く、且つ、排水部を覆う帯形状に形成されるものである。
【００２３】
このように構成すると、フィルター構造体は、両側面が開放されたものとなる。
【発明の効果】
【００２４】
以上説明したように、請求項１記載の発明は、排水の通過面積が急に小さくならないので、使用可能期間が長くなる。
【００２５】
請求項２記載の発明は、請求項１記載の発明の効果に加えて、排水の通過面積がより急に小さくならないので、使用可能期間がより長くなる。
【００２６】
請求項３記載の発明は、請求項１記載の発明の効果に加えて、地面等への載置時に水平部が載置面となるので、地面等への載置状態が安定すると共にスタッキングに適した形状となる。
【００２７】
請求項４記載の発明は、請求項１から請求項３のいずれかに記載の発明の効果に加えて、把持に適した部分が生じるので、排水設備からの取り出しが容易となる。
【００２８】
請求項５記載の発明は、請求項１から請求項４のいずれかに記載の発明の効果に加えて、排水設備に設置したフィルター構造体の一部を持ち上げて、フィルター構造体を保持することが可能となるので、排水設備への雪等の投入が容易となる。
【００２９】
請求項６記載の発明は、請求項１から請求項５のいずれかに記載の発明の効果に加えて、フィルター構造体は、両側面が開放されたものとなるので、連続して配置することにより長尺のフィルター構造体を構成することが容易となる。
【図面の簡単な説明】
【００３０】
【図１】この発明の第１の実施の形態によるフィルター構造体の外観形状を示す斜視図である。
【図２】図１で示したフィルター構造体を排水枡に設置した状態を示した断面図であって、従来のフィルター構造体の図２０に対応する図である。
【図３】この発明の第２の実施の形態によるフィルター構造体の外観形状を示す斜視図であって、第１の実施の形態の図１に対応する図である。
【図４】この発明の第３の実施の形態によるフィルター構造体の外観形状を示す斜視図であって、第１の実施の形態の図１に対応する図である。
【図５】図４で示したフィルター構造体を排水枡に設置した状態を示した断面図であって、第１の実施の形態の図２に対応する図である。
【図６】この発明の第４の実施の形態によるフィルター構造体の外観形状を示す斜視図であって、第１の実施の形態の図１に対応する図である。
【図７】図６で示したフィルター構造体を排水枡に設置した状態を示した断面図であって、第１の実施の形態の図２に対応する図である。
【図８】図６で示したＶＩＩＩ−ＶＩＩＩラインの端面図において、フィルター構造体を重ねた状態を示した模式図である。
【図９】この発明の第５の実施の形態によるフィルター構造体の外観形状を示す斜視図であって、第１の実施の形態の図１に対応する図である。
【図１０】図９で示したフィルター構造体をグレーチングに取り付ける過程を示した模式図である。
【図１１】図９で示したフィルター構造体を排水枡に設置した状態を示した平面図である。
【図１２】図１１で示したＸＩＩ−ＸＩＩラインの断面図である。
【図１３】図１１で示したＸＩＩＩ−ＸＩＩＩラインの断面図である。
【図１４】図１３で示したグレーチングを開けた状態を示す断面図である。
【図１５】この発明の第６の実施の形態によるフィルター構造体の外観形状を示す斜視図であり、第１の実施の形態の図１に対応する図である。
【図１６】図１５で示したフィルター構造体の設置過程を示す模式図である。
【図１７】図１５に示したフィルター構造体を連続して設置した状態を示した模式図である。
【図１８】従来のフィルター構造体の外観形状を示す斜視図である。
【図１９】図１８で示したフィルター構造体を排水枡に設置した状態を示した平面図である。
【図２０】図１９で示したＸＸ−ＸＸラインの断面図である。
【発明を実施するための形態】
【００３１】
図１は、この発明の第１の実施の形態によるフィルター構造体の外観形状を示す斜視図である。
【００３２】
図を参照して、フィルター構造体１０は、鋼に亜鉛溶融メッキが施されたものを平面視矩形の枠形状に形成した掛止体１１と、鋼に亜鉛溶融メッキが施された金網を籠形状に形成したものよりなり、掛止体１１に接続するフィルター本体１２とからなる。尚、掛止体１１は、後述する排水枡の排水部の上方周縁の上面に掛止可能なものとなっている。又、フィルター本体１２は、後述する排水枡の排水部を覆う形状を有し、その底面１３には、水平面に対して傾斜する傾斜部１４が全面に形成されている。このように構成したことによる効果は後述する。
【００３３】
図２は、図１で示したフィルター構造体を排水枡に設置した状態を示した断面図であって、従来のフィルター構造体の図２０に対応する図である。
【００３４】
図を参照して、コンクリート製の排水設備の一種であって道路の脇に設置される排水枡８０に設置されていた従来のフィルター構造体７０が、フィルター構造体１０に置き換えられている。尚、上述したように、フィルター構造体１０の掛止体１１は、排水枡８０の排水部８１の上方周縁の上面８２に掛止可能なものとなっており、又、フィルター本体１２は、排水部８１を覆う形状となっている。そこで、フィルター構造体１０は、フィルター本体１２を排水部８１に落とし込んだ状態で排水部８１の上方周縁の上面８２に掛止体１１を掛止することにより排水枡８０に設置される。尚、他の構成要素は従来のフィルター構造体７０によるものと同一であるため、ここでの説明は繰り返さない。
【００３５】
ここで上述したように、フィルター本体１２の底面１３には傾斜部１４が形成されている。そのため、排水と共に排水部８１に流れ込んできたゴミ１はフィルター構造体１０により堰き止められ、フィルター本体１２の底面１３における下方側の部分に集まって積み重なるようにして堆積する。すると、ゴミ１の堆積量が少量の場合においては、図の破線の矢印で示したような、フィルター本体１２の一部においての排水はできなくなるが、図の実線の矢印で示したような排水、特にフィルター本体１２の底面１３の大部分においての排水は可能となる。すなわち、このように構成すると、排水の通過面積が急に小さくならないため、フィルター構造体１０の使用可能期間が長くなる。
【００３６】
尚、上述したように、傾斜部１４はフィルター本体１２の底面１３の全面に形成されているため、ゴミ１の堆積量が少量の場合、ゴミ１はフィルター本体１２のごく一部に集中的に堆積する。このように構成すると、排水の通過面積がより急に小さくならないため、フィルター構造体１０の使用可能期間がより長くなる。
【００３７】
図３は、この発明の第２の実施の形態によるフィルター構造体の外観形状を示す斜視図であって、第１の実施の形態の図１に対応する図である。
【００３８】
図を参照して、第１の実施の形態によるフィルター構造体１０が、掛止体２１の対向部分に掛け渡すように取り付けられた把手２５を有するフィルター構造体２０に置き換えられている。尚、他の構成要素は第１の実施の形態によるフィルター構造体１０と同一であるため、ここでの説明は繰り返さない。
【００３９】
このように構成すると、把持に適した部分が生じるため、フィルター構造体２０の排水設備からの取り出しが容易となる。
【００４０】
図４は、この発明の第３の実施の形態によるフィルター構造体の外観形状を示す斜視図であって、第１の実施の形態の図１に対応する図である。
【００４１】
図を参照して、第１の実施の形態によるフィルター構造体１０が、回動自在であって、特定回動位置にてその下方端部３６が後述する排水枡の上面に設置可能であり、掛止体３１と上面との間にスペースを設けることができるスタンド３５を有するフィルター構造体３０に置き換えられている。尚、他の構成要素は第１の実施の形態によるフィルター構造体１０と同一であるため、ここでの説明は繰り返さない。このように構成したことによる効果は後述する。
【００４２】
図５は、図４で示したフィルター構造体を排水枡に設置した状態を示した断面図であって、第１の実施の形態の図２に対応する図である。
【００４３】
図を参照して、排水枡８０に設置されていた第１の実施の形態によるフィルター構造体１０が、フィルター構造体３０に置き換えられている。尚、他の構成要素は第１の実施の形態によるフィルター構造体１０によるものと同一であるため、ここでの説明は繰り返さない。
【００４４】
ここで上述したように、フィルター構造体３０は、回動自在であって、特定回動位置にてその下方端部３６が排水枡８０の上面８１に設置可能なスタンド３５を有する。そこで、フィルター構造体３０を排水枡８０に設置した状態で下方端部３６を上面８１に設置させると、図に示したように掛止部３１の一部が上面に掛止した状態のままフィルター構造体３０の一部が持ち上がって上面８１と掛止体３１との間にスペース３７が形成され、そのスペース３７を維持した状態でフィルター構造体３０が保持される。
【００４５】
このように構成すると、排水枡８０に設置したフィルター構造体３０の一部を持ち上げてフィルター構造体３０を保持させることが可能となるため、排水枡８０への雪３８等の投入が容易となる。
【００４６】
図６は、この発明の第４の実施の形態によるフィルター構造体の外観形状を示す斜視図であって、第１の実施の形態の図１に対応する図であり、図７は、図６で示したフィルター構造体を排水枡に設置した状態を示した断面図であって、第１の実施の形態の図２に対応する図であり、図８は、図６で示したＶＩＩＩ−ＶＩＩＩラインの端面図において、フィルター構造体を重ねた状態を示した模式図である。
【００４７】
まず、図６及び図７を参照して、第１の実施の形態によるフィルター構造体１０が、底面４３に水平部４４ａ及び４４ｂと、水平部４４ａ及び４４ｂから上方側に側面視山形に突出する、傾斜部としての隆起部４５とが形成されたフィルター構造体４０に置き換えられている。尚、他の構成要素は第１の実施の形態によるフィルター構造体１０と同一であるため、ここでの説明は繰り返さない。
【００４８】
次に、図７を参照して、排水枡８０への設置状態においては、ゴミ１ａ及び１ｂが水平部４４ａ及び４４ｂの各々の上面に集まって積み重なるようにして堆積する。すると、ゴミ１ａ及び１ｂの堆積量が少量の場合においては、図の破線の矢印で示したような、フィルター本体４２の水平部４４ａ及び４４ｂ及びその周辺おいての排水はできなくなるが、図の実線の矢印で示したような排水、特に底面４３の一部である隆起部４５の大部分においての排水は可能となる。すなわち、このように構成すると、排水の通過面積が急に小さくならないため、フィルター構造体４０の使用可能期間が長くなる。
【００４９】
次に、図８を参照して、フィルター構造体４０を纏めて保管する等、複数のフィルター構造体４０を重ねて地面４６に載置する場合について、フィルター構造体４０においては水平部４４ａ及び４４ｂが最下方に位置するため、地面４６への載置時には水平部４４ａ及び４４ｂが地面４６と接する。すると、地面４６への載置時において、フィルター構造体４０は傾かずに載置されるから、フィルター構造体４０を複数積み重ねる場合、地面４６に対して垂直方向に積み重ねることが可能となる。
【００５０】
このように構成すると、地面４６等への載置時に水平部４４ａ及び４４ｂが載置面となるから、フィルター構造体４０は地面４６等への載置状態が安定すると共にスタッキングに適した形状となる。
【００５１】
図９は、この発明の第５の実施の形態によるフィルター構造体の外観形状を示す斜視図であって、第１の実施の形態の図１に対応する図である。
【００５２】
図を参照して、第１の実施の形態によるフィルター構造体１０が、一対の掛止体５１ａ及び５１ｂと、掛止体５１ａ及び５１ｂの間隔よりも長く、且つ、後述する排水部を覆う帯形状に形成され、可撓性を有するフィルター本体５２とからなるフィルター構造体５０に置き換えられている。このように構成すると、フィルター構造体５０は両側面が開放されたものとなる。又、フィルター本体５２が撓むと共に元の形状に復帰可能なものとなる。このように構成したことによる効果は後述する。
【００５３】
尚、掛止体５１ａ及び５１ｂの各々には、後述するグレーチングの桁が通過可能な大きさの溝部５５ａ及び５５ｂが形成され、掛止体５１ａ及び５１ｂの各々は、グレーチングの底面側に形成された緩衝機能を有する一対のアンダーバーの上面に掛止可能な形状に形成されている。又、フィルター本体５２は可塑性も有し、フィルター本体５２の底面５３には水平面に対して傾斜する傾斜部５４が全面に形成されている。このように構成したことによる効果は後述する。尚、他の構成要素は第１の実施の形態によるフィルター構造体１０と同一であるため、ここでの説明は繰り返さない。
【００５４】
図１０は、図９で示したフィルター構造体をグレーチングに取り付ける過程を示した模式図である。
【００５５】
まず、図１０の（１）を参照して、フィルター構造体５０を、平面視矩形であって格子形状を有し、底面側に一対のアンダーバー９７ａ及び９７ｂを有するグレーチング９５の底面側に配置する。ここで、掛止体５１ａ及び５１ｂの間隔は、アンダーバー９７ａ及び９７ｂの間隔とほぼ同一に設定されており、Ａ−Ａ断面に示すように、この状態ではアンダーバー９７ａの下方に掛止体５１ａが隠れる。尚、アンダーバー９７ｂ及び掛止体５１ｂもアンダーバー９７ａ及び掛止体５１ａと同様の状態となる。
【００５６】
次に、図１０の（２）を参照して、上述したように可撓性を有するフィルター本体５２を内方側に撓ませて、掛止体５１ａ及び５１ｂの間隔がアンダーバー９７ａ及び９７ｂの間隔よりも短くなるようにフィルター構造体５０を変形させる。すると、Ｂ−Ｂ断面に示すように、アンダーバー９７ａの内方端部よりも内方側に掛止体５１ａが位置するようになる。尚、アンダーバー９７ｂ及び掛止体５１ｂもアンダーバー９７ａ及び掛止体５１ａと同様の状態となる。この状態で、溝部５５ａ及び図９で示した溝部５５ｂの各々が、グレーチング９５の桁９９の各々に対向し、且つ、掛止部５１ａ及び５１ｂの各々がグレーチング９５の内方側に位置するように、フィルター構造体５０の位置を調整する。
【００５７】
最後に、図１０の（２）及び（３）を参照して、図１０の（２）の状態からフィルター構造体５０を上方に移動させてグレーチング９５の桁９９を溝部５５ａ及び図９で示した溝部５５ｂに通し、アンダーバー９７ａ及び９７ｂの各々の上面９８ａ及び９８ｂの上方に掛止体５１ａ及び５１ｂが位置するように、フィルター構造体５０を配置する。そして、その位置においてフィルター本体５２を外方側に撓ませて、フィルター本体５２を元の形状に復帰させ、掛止体５１ａ及び５１ｂの各々をアンダーバー９７ａ及び９７ｂの各々の上面９８ａ及び９８ｂに掛止させる。
【００５８】
このように構成すると、フィルター本体５２が撓むと共に元の形状に復帰可能なものとなるから、グレーチング９５の外方からフィルター構造体５０をグレーチング９５に取り付けることができる。
【００５９】
図１１は、図９で示したフィルター構造体を排水枡に設置した状態を示した平面図であり、図１２は、図１１で示したＸＩＩ−ＸＩＩラインの断面図であり、図１３は、図１１で示したＸＩＩＩ−ＸＩＩＩラインの断面図である。
【００６０】
これらの図を参照して、コンクリート製の排水設備の一種であって道路の脇に設置される排水枡９０は、平面視矩形の穴形状に形成されて排水が流入する排水部９１を中心に有し、平面視矩形の筒状に形成されている。
【００６１】
排水枡９０には、フィルター構造体５０を取り付けたグレーチング９５が、その一方端部９６の側を軸として回動自在に取り付けられており、排水部９１の上方を覆って排水部９１の上方周辺の上面９２に載置されるようにして閉じられることにより、フィルター構造体５０が排水枡９０に設置される。この時、図１２に示すように、フィルター本体５２と排水部９１との間には僅かな隙間５６ａ及び５６ｂが生じるが、この隙間５６ａ及び５６ｂから脱落しうるゴミは微小なものに限られるため実質的には問題とならない。又、図１３に示すように、掛止体５１ａ及び５１ｂは上面９２に載置されているアンダーバー９７ａ及び９７ｂの上面９８ａ及び９８ｂに掛止されている、すなわち、排水枡９０の上面９２の近傍に掛止されている。
【００６２】
尚、上述したように、フィルター本体５２は可塑性を有し、フィルター本体５２の底面５３には水平面に対して傾斜する傾斜部５４が全面に形成されている。そのため、第１の実施の形態によるフィルター構造体１０と同様に、排水と共に排水部９１に流れ込んだゴミは、底面５３の下方側の部分に集まって積み重なるようにして堆積する。よって、排水の通過面積がより急に小さくならないので、フィルター構造体５０の使用可能期間がより長くなる。
【００６３】
図１４は、図１３で示したグレーチングを開けた状態を示す断面図である。
【００６４】
図を参照して、フィルター本体５２に堆積したゴミ１を取り出すにあたっては、まず、フィルター構造体５０を取り付けたままグレーチング９５を開ける。すると、上述したようにフィルター構造体５０の両側面は開放されたものとなっているから、その開放された両側面の側からゴミ１を掻き出すようにして取り出す。
【００６５】
図１５は、この発明の第６の実施の形態によるフィルター構造体の外観形状を示す斜視図であり、第１の実施の形態の図１に対応する図である。
【００６６】
図を参照して、第１の実施の形態によるフィルター構造体１０が、一対の掛止体６１ａ及び６１ｂと、掛止体６１ａ及び６１ｂの間隔よりも長く、且つ、後述する排水部を覆う帯形状に形成され、可塑性を有するフィルター本体６２とからなるフィルター構造体６０に置き換えられている。このように構成すると、フィルター構造体６０は両側面が開放されたものとなる。このように構成したことによる効果は後述する。
【００６７】
尚、掛止体６１ａ及び６１ｂの各々は、後述する側溝の排水部の上方周縁の上面に配置されたボルトが通過可能な大きさの穴部６５ａ、６５ｂ、６５ｃ及び６５ｄが形成され、上面に掛止可能な形状に形成されている。又、フィルター本体６２の底面６３には水平面に対して傾斜する傾斜部６４が全面に形成されている。このように構成したことによる効果は後述する。尚、他の構成要素は第１の実施の形態によるフィルター構造体１０と同一であるため、ここでの説明は繰り返さない。
【００６８】
図１６は、図１５で示したフィルター構造体の設置過程を示す模式図である。
【００６９】
図を参照して、コンクリート製の排水設備の一種であって道路の脇に設置される側溝１００は、溝形状に形成されて排水が流入する排水部１０１を中心に有し、側面視略Ｕ字形状に形成されている。
【００７０】
フィルター構造体６０の側溝１００への設置にあたっては、まず、フィルター本体６２を下方側に向け、掛止体６１ａ及び６１ｂの各々に形成された穴部６５ａ、６５ｂ、６５ｃ及び６５ｄの各々に、排水部１０１の上方周縁の上面１０２ａ及び１０２ｂに配置されたボルト１０３ａ、１０３ｂ、１０３ｃ及び１０３ｄの各々を通す。そして、フィルター本体６２を排水部１０１に落とし込んだ状態で上面１０２ａ及び１０２ｂに掛止体６１ａ及び６１ｂの各々を掛止する。
【００７１】
次に、平面視矩形であって格子形状を有するグレーチング１０５を、ボルト１０３ａ、１０３ｂ、１０３ｃ及び１０３ｄの各々を通しつつ掛止体６１ａ及び６１ｂの各々の上面に載置し、側溝１００の上面１０２ａ及び１０２ｂとグレーチング１０５とでフィルター構造体６０を挟み込む。
【００７２】
最後に、グレーチング１０５の上方からナット１０４ａ、１０４ｂ、１０４ｃ及び１０４ｄの各々を、ボルト１０３ａ、１０３ｂ、１０３ｃ及び１０３ｄの各々に係合させて締め、グレーチング１０５及びフィルター構造体６０を側溝１００に固定する。このようにしてフィルター構造体６０を側溝１００に設置する。
【００７３】
尚、上述したように、フィルター本体６２は可塑性を有し、フィルター本体６２の底面６３には水平面に対して傾斜する傾斜部６４が全面に形成されている。そのため、第１の実施の形態によるフィルター構造体１０と同様に、排水と共に排水部１０１に流れ込んだゴミは、底面６３の下方側の部分に集まって積み重なるようにして堆積する。よって、排水の通過面積がより急に小さくならないので、フィルター構造体６０の使用可能期間がより長くなる。フィルター本体６２に堆積したゴミは、グレーチング１０５を取り外して取り出す。
【００７４】
図１７は、図１５に示したフィルター構造体を連続して設置した状態を示した模式図である。
【００７５】
図を参照して、複数のフィルター構造体６０ａ、６０ｂ、６０ｃ及び６０ｄが連続して配置されている。すると、上述したようにフィルター構造体６０ａ、６０ｂ、６０ｃ及び６０ｄの各々は両側面が開放されたものとなっているので、複数のフィルター構造体６０ａ、６０ｂ、６０ｃ及び６０ｄを、傾斜部６４ａ、６４ｂ、６４ｃ及び６４ｄの各々の傾斜方向を合わせた上で隣接させて連続的に配置することにより、フィルター構造体６０ａ、６０ｂ、６０ｃ及び６０ｄの各々が擬似的に繋がる。その結果、長尺なフィルター構造体１１０を容易に構成することができる。逆を言えば、長尺なフィルター構造体１１０を所望する場合は、フィルター構造体１１０をフィルター構造体６０ａ、６０ｂ、６０ｃ及び６０ｄの各々に分割して形成すればよく、長尺のフィルター構造体１１０の形成が容易となる。
【００７６】
尚、このような長尺のフィルター構造体１１０におけるゴミの取り出しにあたっては、例えばフィルター構造体６０ａに、流水等を用いて長尺のフィルター構造体１１０の全体に堆積したゴミを集めると、フィルター構造体６０ａの上面に載置されたグレーチングを取り外すだけで全てのゴミが取り出せ、清掃の負担が軽減される。
【００７７】
尚、上記の各実施の形態では、フィルター構造体は特定の金属により形成されていたが、他の素材により形成されてもよい。
【００７８】
又、上記の第１の実施の形態から第４の実施の形態の各々では、フィルター本体は籠形状を有するものであったが、掛止体の間隔よりも長く、且つ、排水部を覆う帯形状に形成されてもよい。
【００７９】
更に、上記の第５の実施の形態及び第６の実施の形態では、フィルター本体は可塑性を有するものであったが、有していなくてもよい。
【００８０】
更に、上記の第２の実施の形態及び第４の実施の形態から第６の実施の形態の各々では、スタンドを有するものではなかったが、スタンドを有するものであってもよい。
【００８１】
更に、上記の第３の実施の形態、第４の実施の形態及び第６の実施の形態の各々では、把手を有するものではなかったが、把手を有するものであってもよい。
【００８２】
更に、上記の第２の実施の形態、第３の実施の形態、第５の実施の形態及び第６の実施の形態の各々では、底面の全面に傾斜部が形成されたものであったが、水平部と、水平部から上方に突出する傾斜部としての隆起部とが形成されるものであってもよい。
【００８３】
更に、上記の第４の実施の形態では、水平部及び隆起部が特定形状及び特定数形成されていたが、他の形状に形成されてもよく、又、少なくとも１つずつ形成されていればよい。
【００８４】
更に、上記の第１の実施の形態から第３の実施の形態、第５の実施の形態及び第６の実施の形態では、傾斜部が底面の全面に形成されていたが、底面の少なくとも一部に傾斜部が形成されていればよい。
【００８５】
更に、上記の各実施の形態では、フィルター構造体は特定の排水設備に設置されるものであったが、他のコンクリート製の排水設備に設置されるものであればよい。
【符号の説明】
【００８６】
１…ゴミ
１０…フィルター構造体
１１…掛止体
１２…フィルター本体
１３…底面
１４…傾斜面
２０…フィルター構造体
２１…掛止体
２５…把手
３０…フィルター構造体
３１…掛止体
３５…スタンド
３６…下方端部
３７…スペース
４０…フィルター構造体
４２…フィルター本体
４３…底面
４４ａ、４４ｂ…水平部
４５…隆起部
５０…フィルター構造体
５１ａ、５１ｂ…掛止体
５２…フィルター本体
５３…底面
５４…傾斜部
６０…フィルター構造体
６１ａ、６１ｂ…掛止体
６２…フィルター本体
６３…底面
６４…傾斜部
８０…排水枡
８１…排水部
８２…上面
９０…排水枡
９１…排水部
９２…上面
１００…側溝
１０１…排水部
１０２…上面
尚、各図中同一符号は同一又は相当部分を示す。
【図１】
2014231685.tif 000003
【図２】
2014231685.tif 000004
【図３】
2014231685.tif 000005
【図４】
2014231685.tif 000006
【図５】
2014231685.tif 000007
【図６】
2014231685.tif 000008
【図７】
2014231685.tif 000009
【図８】
2014231685.tif 000010
【図９】
2014231685.tif 000011
【図１０】
2014231685.tif 000012
【図１１】
2014231685.tif 000013
【図１２】
2014231685.tif 000014
【図１３】
2014231685.tif 000015
【図１４】
2014231685.tif 000016
【図１５】
2014231685.tif 000017
【図１６】
2014231685.tif 000018
【図１７】
2014231685.tif 000019
【図１８】
2014231685.tif 000020
【図１９】
2014231685.tif 000021
【図２０】
2014231685.tif 000022
【手続補正書】
【提出日】平成26年9月26日(2014.9.26)
【手続補正２】
【補正対象書類名】明細書
【補正対象項目名】０００１
【補正方法】変更
【補正の内容】
【０００１】
この発明はフィルター構造体に関し、特に排水設備に設置されるフィルター構造体及び長尺のフィルター構造体に関するものである。
【手続補正３】
【補正対象書類名】明細書
【補正対象項目名】００１１
【補正方法】変更
【補正の内容】
【００１１】
この発明は、上記のような課題を解決するためになされたもので、使用可能期間が長くなるフィルター構造体及び長尺のフィルター構造体を提供することを目的とする。
【手続補正４】
【補正対象書類名】明細書
【補正対象項目名】００１２
【補正方法】変更
【補正の内容】
【００１２】
上記の目的を達成するために、請求項１記載の発明は、コンクリート製の排水設備に設置され、排水設備の内部に対し、排水を可能とすると共にゴミの侵入を防ぐフィルター構造体であって、排水設備の排水部の上方周縁の上面に掛止可能な一対の掛止体と、掛止体に接続し、排水部を覆う形状を有する金網よりなるフィルター本体とを備え、フィルター本体の底面には水平面に対して傾斜する傾斜部が少なくとも一部に形成され、フィルター本体は可撓性及び可塑性を有し、一対の掛止体の間隔よりも長く、且つ、排水部を覆う帯形状に形成されるものである。
【手続補正５】
【補正対象書類名】明細書
【補正対象項目名】００１３
【補正方法】変更
【補正の内容】
【００１３】
このように構成すると、排水の通過面積が急に小さくならない。又、このように構成すると、フィルター構造体は、両側面が開放されたものとなる。
【手続補正６】
【補正対象書類名】明細書
【補正対象項目名】００２２
【補正方法】変更
【補正の内容】
【００２２】
請求項６記載の発明は、請求項１から請求項５のいずれかに記載のフィルター構造体を複数個準備し、傾斜部の各々の傾斜方向を合わせた上で隣接させて連続的に配置することによりなる、長尺のフィルター構造体である。
【手続補正７】
【補正対象書類名】明細書
【補正対象項目名】００２３
【補正方法】変更
【補正の内容】
【００２３】
このように構成すると、複数のフィルター構造体の各々が擬似的に繋がる。
【手続補正８】
【補正対象書類名】明細書
【補正対象項目名】００２４
【補正方法】変更
【補正の内容】
【００２４】
以上説明したように、請求項１記載の発明は、排水の通過面積が急に小さくならないので、使用可能期間が長くなる。又、フィルター構造体は、両側面が開放されたものとなるので、連続して配置することにより長尺のフィルター構造体を構成することが容易となる。
【手続補正９】
【補正対象書類名】明細書
【補正対象項目名】００２９
【補正方法】変更
【補正の内容】
【００２９】
請求項６記載の発明は、請求項１から請求項５のいずれかに記載の発明の効果に加えて、複数のフィルター構造体の各々が擬似的に繋がった効率的な長尺のフィルター構造体となる。
【手続補正１０】
【補正対象書類名】特許請求の範囲
【補正対象項目名】全文
【補正方法】変更
【補正の内容】
【特許請求の範囲】
【請求項１】
コンクリート製の排水設備に設置され、前記排水設備の内部に対し、排水を可能とすると共にゴミの侵入を防ぐフィルター構造体であって、
前記排水設備の排水部の上方周縁の上面に掛止可能な一対の掛止体と、
前記掛止体に接続し、前記排水部を覆う形状を有する金網よりなるフィルター本体とを備え、
前記フィルター本体の底面には水平面に対して傾斜する傾斜部が少なくとも一部に形成され、
前記フィルター本体は可撓性及び可塑性を有し、前記一対の掛止体の間隔よりも長く、且つ、前記排水部を覆う帯形状に形成される、フィルター構造体。
【請求項２】
前記底面には、前記傾斜部が全面に形成される、請求項１記載のフィルター構造体。
【請求項３】
前記底面には、水平部と、
前記水平部から上方側に突出する、前記傾斜部としての隆起部とが形成される、請求項１記載のフィルター構造体。
【請求項４】
前記掛止体の対向部分に架け渡すように取り付けられた把手を更に有する、請求項１から請求項３のいずれかに記載のフィルター構造体。
【請求項５】
回動自在であって、特定回動位置にてその下方端部を前記上面に設置可能であり、前記掛止体と前記上面との間にスペースを設けることができるスタンドを更に有する、請求項１から請求項４のいずれかに記載のフィルター構造体。
【請求項６】
請求項１から５のいずれかに記載のフィルター構造体を複数個準備し、前記傾斜部の各々の傾斜方向を合わせた上で隣接させて連続的に配置することによりなる、長尺のフィルター構造体。